(57)【要約】【課題】複数の光源によって画像を投射しても画面上のちらつきを低減することを可能にした投射型画像表示装置を提供すること。【解決手段】複数の光源と、各光源を駆動する光源駆動部と、光源駆動部の制御を行う光源駆動制御部と、を有し、光源駆動制御部は複数の光源点灯時に各光源の電圧または電流の立ち上がり及び立下りエッジが重ならないように各光源を駆動する光源駆動制御機能を有することを特徴とする。【選択図】図１
2018004851.tif 000002
【特許請求の範囲】
【請求項１】
複数の光源と、
各光源を駆動する光源駆動部と、
光源駆動部の制御を行う光源駆動制御部と、を有し、
光源駆動制御部は複数の光源点灯時に各光源の電圧または電流の立ち上がり及び立下りエッジが重ならないように各光源を駆動する光源駆動制御機能を有することを特徴とする投射型画像表示装置。
【請求項２】
各光源の電圧または電流の波形を取得する光源波形取得部を有し、光源駆動制御部は複数の光源点灯時に光源波形取得部の情報を基に光源駆動制御部が各光源の電圧または電流の立ち上がり及び立下りエッジが重ならないように各光源を駆動する光源駆動制御機能を有することを特徴とする請求項１に記載の投射型画像表示装置。
【請求項３】
各光源の単体の輝度を取得する光源輝度取得部を有し、光源駆動制御部は複数の光源点灯時に光源輝度取得部の情報を基に光源駆動制御部が各光源の電圧または電流の立ち上がり及び立下りエッジが重ならないように各光源を駆動する光源駆動制御機能を有することを特徴とする請求項１又は請求項２に記載の投射型画像表示装置。
【請求項４】
任意の周波数及びＤｕｔｙのパルス信号を発生する光源駆動制御部と、光源駆動制御部から出力されたパルス信号に同期してランプを駆動させる光源駆動部を有し、光源駆動制御部は各光源の光源駆動部に対してエッジをずらしたパルス信号を送信して光源を駆動する光源駆動制御機能を有することを特徴とする請求項１乃至請求項３の何れか一項に記載の投射型画像表示装置。
【請求項５】
光源は正負を含んだ交流波によって駆動することを特徴とした請求項１乃至請求項４の何れか一項に記載の投射型画像表示装置。
【発明の詳細な説明】
【技術分野】
【０００１】
本発明は、投射型画像表示装置に関し、特に光源駆動に関する。
【背景技術】
【０００２】
現在、大会議室やイベント会場等において多灯式の投射型画像表示装置がよく利用されている。多灯式の投射型画像表示装置は１灯式に対して明るい、１つの光源が使えなくなっても残りの光源で画像の投射を維持できる等のメリットがある。
【０００３】
ところで、投射型画像表示装置の光源は一般的に高圧水銀ランプが使用されている。この高圧水銀ランプは交流波によって駆動しているものが主流であるが、特性上輝度変動、いわゆるフリッカ、が発生してしまうことがあった。
【０００４】
これを解決するために、特許文献１には、低周波挿入時に通常駆動周波数のパルスを挿入しフリッカ削減等の技術が開示されている。
【先行技術文献】
【特許文献】
【０００５】
【特許文献１】特開２０１１−９０２３９号公報
【発明の概要】
【発明が解決しようとする課題】
【０００６】
上述のように投射型画像表示装置の光源単体のフリッカを削減する技術はあるが、多灯式の投射型画像表示装置の光源に対するフリッカが考慮されていなかった。特に１つの光源のフリッカでは気にならないレベルであるが、他の光源のフリッカと重なる場合、図５のようにユーザにちらつきとして視認されてしまう可能性があった。
【０００７】
そこで、本発明の目的は、複数の光源によって画像を投射しても画面上のちらつきを低減することを可能にした投射型画像表示装置を提供することにある。
【課題を解決するための手段】
【０００８】
上記の目的を達成するために、本発明に係る投射型画像表示装置は、
複数の光源と、各光源を駆動する光源駆動部と、光源駆動部の制御を行う光源駆動制御部と、を有し、光源駆動制御部は複数の光源点灯時に各光源の電圧または電流の立ち上がり及び立下りエッジが重ならないように各光源を駆動する光源駆動制御機能を有することを特徴とする。
【発明の効果】
【０００９】
本発明によれば、複数の光源によって画像を投射しても画面上のちらつきを低減することを可能にした投射型画像表示装置を提供することができる。
【図面の簡単な説明】
【００１０】
【図１】プロジェクタ１の構成図
【図２】多光源点灯時の動作フロー１
【図３】プロジェクタ２の構成図
【図４】多光源点灯時の動作フロー２
【図５】多光源点灯時のフリッカ
【発明を実施するための形態】
【００１１】
以下に、本発明の好ましい実施の形態を、添付の図面に基づいて詳細に説明する。
【実施例１】
【００１２】
以下、図１，２を参照して、本発明の第１の実施例について説明する。
【００１３】
図１は本発明の一実施例に係るプロジェクタ１（投射型画像表示装置）の構成を示している。
【００１４】
プロジェクタ１は光源Ａ１０と光源Ｂ１１を有し、それぞれ光源駆動部Ａ１２と光源駆動部Ｂ１３によって駆動される。光源駆動部Ａ１２と光源駆動部Ｂ１３は光源駆動制御部１４によって動作を制御される。
【００１５】
光源駆動制御部１４は光源波形取得部１７または光源輝度取得部１８より各光源の波形情報を基に、光源Ａ１０と光源Ｂ１１の電圧または電流波形の立ち上がり及び立下りエッジが重ならないように各光源を駆動する光源駆動制御機能を有する。また、光源駆動制御部１４は任意の周波数及びＤｕｔｙのパルス信号を光源駆動部Ａ１２と光源駆動部Ｂ１３に送信する光源駆動制御機能も併せて有する。
【００１６】
画像形成部１５は入力された画像信号と光源Ａ１０、光源Ｂ１１の光を合成・変換し投射画像を形成する。操作部１６はプロジェクタ１の操作を行う。
【００１７】
光源波形取得部１７は、光源Ａ１０と光源Ｂ１１の電圧または電流波形を取得する機能を有する。
【００１８】
光源輝度取得部１８は、光源Ａ１０と光源Ｂ１１の単体の輝度を取得する機能を有する。
【００１９】
次に図２を参照し、第１の実施例におけるプロジェクタ１の動作フローを説明する。
【００２０】
プロジェクタ１が多光源点灯指令を受けると、本実施例の動作フローが開始される。
【００２１】
ステップ１０１では、各光源が規定の温度に達するまで待機を行う。
【００２２】
ステップ１０２では、光源駆動制御部１４は操作部１６から光源消灯指令が来ているか確認し、消灯の指令がある場合はステップ１０５へ、ない場合はステップ１０３へ移行する。
【００２３】
ステップ１０３では、光源波形取得部１７によって各光源の電圧または電流波形を取得しステップ１０４へ移行する。
【００２４】
ステップ１０４では、光源駆動制御部１４がステップ１０３で取得した電圧または電流波形を基に各光源の電圧または電流波形の立ち上がり及び立下りエッジが重ならないように各光源駆動部の制御を行いステップ１０２へ移行する。本実施例では、各光源の電圧または電流波形の立ち上がり及び立下りエッジが重なるもしくは近い場合光源駆動制御部１４は任意の光源駆動部に同期信号を送信し光源の電圧または電流波形をずらす処理を行う。
【００２５】
ステップ１０５では、各光源の消灯処理を行い、動作フローを終了する。
【００２６】
本動作フローに関し、以下のように各光源の輝度情報を基に各光源の電圧または電流波形の立ち上がり及び立下りエッジをずらすことが可能である。ステップ１０３では各光源の電圧または電流波形ではなく、光源輝度取得部１８より各光源の輝度の取得を行う。次にステップ１０４で光源駆動制御部１４が取得した各光源の輝度の変動を基に各光源の電圧または電流波形の立ち上がり及び立下りエッジが重ならないように各光源駆動部の制御を行うことによって同等の効果を得ることが可能である。
【実施例２】
【００２７】
以下、図３，４を参照して、本発明の第２の実施例について説明する。
【００２８】
図３は本発明の一実施例に係るプロジェクタ２（投射型画像表示装置）の構成を示している。
【００２９】
プロジェクタ２は光源Ｃ２０と光源Ｄ２１を有し、それぞれ光源駆動部Ｃ２２と光源駆動部Ｄ２３によって駆動される。光源駆動部Ｃ２２と光源駆動部Ｄ２３は光源駆動制御部２４によって動作を制御される。
【００３０】
光源駆動制御部２４は任意の周波数及びＤｕｔｙのパルス信号を光源駆動部Ｃ２２と光源駆動部Ｄ２３に送信する光源駆動制御機能を有する。
【００３１】
画像形成部２５は入力された画像信号と光源Ｃ２０、光源Ｄ２１の光を合成・変換し投射画像を形成する。操作部２６はプロジェクタ２の操作を行う。
【００３２】
次に図４を参照し、第２の実施例におけるプロジェクタ２の動作フローを説明する。
【００３３】
プロジェクタ２が多光源点灯指令を受けると、本実施例の動作フローが開始される。
【００３４】
ステップ２０１では、各光源が規定の温度に達するまで待機を行う。
【００３５】
ステップ２０２では、光源駆動制御部２４は操作部２６から光源消灯指令が来ているか確認し、消灯の指令がある場合はステップ２０５へ、ない場合はステップ２０３へ移行する。
【００３６】
ステップ２０３では、光源駆動制御部２４は各光源の駆動波形と同じ周波数及びＤｕｔｙのパルス信号の生成を行う。この時それぞれのパルス信号の立下り及び立ち上がりエッジが重ならないように信号を生成する。次にこのパルス信号を各光源駆動部に送信する。
【００３７】
ステップ２０４では、各光源駆動部は、光源駆動制御部２４から受信したパルス信号と同期した光源の出力を行いステップ２０５へ移行する。
【００３８】
ステップ２０５では、各光源の消灯処理を行い、動作フローを終了する。
【符号の説明】
【００３９】
１  プロジェクタ、１０  光源Ａ、１１  光源Ｂ、１２  光源駆動部Ａ、
１３  光源駆動部Ｂ、１４  光源駆動制御部、１５  画像形成部、１６  操作部、
１７  光源波形取得部、１８  光源輝度取得部、２  プロジェクタ、２０  光源Ｃ、
２１  光源Ｄ、２２  光源駆動部Ｃ、２３  光源駆動部Ｄ、２４  光源駆動制御部、
２５  画像形成部、２６  操作部
【図１】
2018004851.tif 000003
【図２】
2018004851.tif 000004
【図３】
2018004851.tif 000005
【図４】
2018004851.tif 000006
【図５】
2018004851.tif 000007